(57)【要約】【課題】定着制御を精度よく行うことができる画像形成装置を提供することを目的とする。【解決手段】画像形成装置は、記録シートを加熱するための加熱体を有する定着装置と、加熱体に電力を供給するように構成された電力供給部と、加熱体の温度を検出するように構成された非接触式の温度検出器と、複数の関数から一の関数を選択し、選択した関数により温度検出器で検出した検出温度を補正し、補正後の温度に基いて電力供給部を制御する制御装置と、を備える。複数の関数は、第１関数（Ｔ＝１．２ｘ）と、当該第１関数よりも補正後の値が小さくなる第２関数（Ｔ＝１．２ｘ−５）とを含んでいる。制御装置は、ウォームアップ終了直後の印刷制御の開始時（第１期間）には検出温度の補正を第１関数により実行し、当該印刷制御の途中（第２期間）で検出温度の補正を第２関数により実行する。【選択図】図２
2014106511.tif 000002
【特許請求の範囲】
【請求項１】
記録シートを加熱するための加熱体を有する定着装置と、
前記加熱体に電力を供給するように構成された電力供給部と、
前記加熱体に対して間隔をおいて配置され、前記加熱体の温度を検出するように構成された非接触式の温度検出器と、
複数の関数から一の関数を選択し、選択した関数により前記温度検出器で検出した検出温度を補正し、補正後の温度に基いて前記電力供給部を制御する制御装置と、を備え、
前記制御装置は、
ウォームアップ終了直後の印刷制御の開始時には前記検出温度の補正を前記複数の関数のうち第１関数により実行し、当該印刷制御の途中で前記検出温度の補正を前記複数の関数のうち前記第１関数よりも補正後の値が小さくなる第２関数により実行するように構成されていることを特徴とする画像形成装置。
【請求項２】
前記制御装置は、
ウォームアップ開始時の前記検出温度が所定温度以下の場合には、前記印刷制御の開始時において、前記複数の関数のうち前記第１関数よりも補正後の値が大きくなる第３関数により前記検出温度の補正を実行するように構成されていることを特徴とする請求項１に記載の画像形成装置。
【請求項３】
前記制御装置は、
ウォームアップ開始時の前記検出温度が所定温度以下の場合には、前記第３関数から前記第２関数に切り替える前に、前記複数の関数のうち前記第３関数よりも補正後の値が小さくなり、かつ、前記第２関数よりも補正後の値が大きくなる第４関数により前記検出温度の補正を実行するように構成されていることを特徴とする請求項２に記載の画像形成装置。
【請求項４】
前記第３関数から前記第４関数に切り替えるタイミングが、前記第１関数から前記第２関数に切り替えるタイミングよりも遅くなるように設定されていることを特徴とする請求項３に記載の画像形成装置。
【発明の詳細な説明】
【技術分野】
【０００１】
本発明は、加熱体の温度を検出するための非接触式の温度検出器を備えた画像形成装置に関する。
【背景技術】
【０００２】
従来、記録シートを加熱する加熱体と、加熱体から離れて配置され、当該加熱体周りの雰囲気温度を検出する非接触式の温度検出器と、温度検出器で検出した検出温度に基いて加熱体の温度を制御する制御装置とを備えた画像形成装置が知られている（特許文献１参照）。具体的に、この技術では、温度検出器で検出した検出温度を加熱体の実温度に近づけるべく所定の関数で補正し、補正した後の温度に基いて加熱体の温度の制御を行っている。さらに、この技術では、検出温度に応じて関数を変更しており、例えば検出温度１７５℃〜２００℃といった印刷制御の開始から終了までの期間に相当する温度域においては、１種類の関数が選択されるようになっている。
【先行技術文献】
【特許文献】
【０００３】
【特許文献１】特開２００９−１３９４１５号公報
【発明の概要】
【発明が解決しようとする課題】
【０００４】
ところで、前述したような非接触式の温度検出器を備える画像形成装置では、ウォームアップ時における加熱体の急激な温度上昇に加熱体周りの雰囲気温度が追従し難いため、ウォームアップ終了直後の印刷制御の開始時において、加熱体の実温度と雰囲気温度（検出温度）との差が、印刷制御の後半における差よりも大きくなる場合がある。このような場合において、従来技術のように印刷制御中において１種類の関数しか用いないと、定着制御を精度よく行うことができないという問題がある。より具体的には、ウォームアップ終了直後の印刷制御の開始時において、加熱体の実温度と検出温度との差が大きいと、１種類の関数で補正された温度を実温度に近づけることができなくなるので、加熱体に供給する電力が大きくなり、加熱体の温度が高くなりすぎるという問題が生じる。
【０００５】
そこで、本発明は、定着制御を精度よく行うことができる画像形成装置を提供することを目的とする。
【課題を解決するための手段】
【０００６】
前記課題を解決するため、本発明に係る画像形成装置は、記録シートを加熱するための加熱体を有する定着装置と、前記加熱体に電力を供給するように構成された電力供給部と、前記加熱体に対して間隔をおいて配置され、前記加熱体の温度を検出するように構成された非接触式の温度検出器と、複数の関数から一の関数を選択し、選択した関数により前記温度検出器で検出した検出温度を補正し、補正後の温度に基いて前記電力供給部を制御する制御装置と、を備える。
前記制御装置は、ウォームアップ終了直後の印刷制御の開始時には前記検出温度の補正を前記複数の関数のうち第１関数により実行し、当該印刷制御の途中で前記検出温度の補正を前記複数の関数のうち前記第１関数よりも補正後の値が小さくなる第２関数により実行するように構成されている。
【０００７】
前述した構成によれば、ウォームアップ終了直後の印刷制御の開始時において第１関数で補正された温度が、第２関数を用いて補正された場合よりも大きな値となるので、ウォームアップ終了直後の印刷制御の開始時において加熱体の実温度と検出温度との差が大きくなっても、補正後の温度を実温度に近づけることができ、加熱体の温度が高くなりすぎるのを抑えることができる。
【０００８】
また、前記した構成において、前記制御装置は、ウォームアップ開始時の前記検出温度が所定温度以下の場合には、前記印刷制御の開始時において、前記複数の関数のうち前記第１関数よりも補正後の値が大きくなる第３関数により前記検出温度の補正を実行するように構成することができる。
【０００９】
ここで、ウォームアップ開始時の検出温度が低い場合には、高い場合に比べ、印刷制御の開始時における加熱体の温度と雰囲気温度との差が大きい。そのため、例えばウォームアップ開始時の検出温度に関係なく同一の第１関数を印刷制御の開始時の補正に使用する場合には、ウォームアップ開始時の検出温度が低いときにおける印刷制御の開始時に加熱体の温度が高くなりすぎる可能性がある。これに対し、ウォームアップ開始時の検出温度が低い場合に、印刷制御の開始時における検出温度を第１関数を用いて補正された場合よりも大きな値となるように第３関数で補正することで、加熱体の温度が高くなりすぎるのを抑えることができる。
【００１０】
また、前記した構成において、前記制御装置は、ウォームアップ開始時の前記検出温度が所定温度以下の場合には、前記第３関数から前記第２関数に切り替える前に、前記複数の関数のうち前記第３関数よりも補正後の値が小さくなり、かつ、前記第２関数よりも補正後の値が大きくなる第４関数により前記検出温度の補正を実行するように構成することができる。
【００１１】
ここで、ウォームアップ開始時の検出温度が低い場合には、加熱体の温度と雰囲気温度との差が大きいことから、第３関数からいきなり第２関数に切り替えると加熱体の温度が高くなりすぎる場合がある。これに対し、ウォームアップ開始時の検出温度が低い場合において、第３関数と第２関数の間に第４関数を設定することにより、このような問題を抑えることができる。
【００１２】
また、前記した構成において、前記第３関数から前記第４関数に切り替えるタイミングは、前記第１関数から前記第２関数に切り替えるタイミングよりも遅くなるように設定することができる。
【００１３】
これによれば、例えばウォームアップ開始時の検出温度が低い程、記録シートのピックアップタイミングが遅くなるように構成した場合において、記録シートが加熱体に到達するタイミングに合わせて関数の切り替えを行うことが可能となる。すなわち、加熱体から記録シートに熱が奪われることで、加熱体の実温度と雰囲気温度の差が小さくなるタイミングに合わせて関数を切り替えることが可能となるので、良好な定着制御を実現することができる。
【発明の効果】
【００１４】
本発明によれば、定着制御を精度よく行うことができる。
【図面の簡単な説明】
【００１５】
【図１】本発明の一実施形態に係るレーザプリンタを示す側断面図である。
【図２】印刷制御時における関数を設定するためのマップを示す図（ａ）〜（ｃ）である。
【図３】制御装置の動作を示すフローチャートである。
【発明を実施するための形態】
【００１６】
＜レーザプリンタの全体構成＞
次に、本発明の一実施形態について、適宜図面を参照しながら詳細に説明する。
図１に示すように、画像形成装置の一例としてのレーザプリンタ１は、装置本体２と、記録シートの一例としての用紙３を給紙するためのフィーダ部４と、給紙された用紙３に画像を形成するための画像形成部５とを備えている。
【００１７】
フィーダ部４は、装置本体２内の底部に着脱可能に装着される給紙トレイ６と、給紙トレイ６から用紙３を画像形成部５へ搬送する用紙供給機構７とを備えている。フィーダ部４では、給紙トレイ６内の用紙３が、用紙供給機構７によって一枚ずつ分離されて画像形成部５に供給される。
【００１８】
画像形成部５は、スキャナ部１６と、プロセスカートリッジ１７と、定着装置１８とを備えている。
【００１９】
スキャナ部１６は、装置本体２内の上部に設けられ、レーザ発光部（図示せず。）と、回転駆動されるポリゴンミラー１９と、レンズ２０，２１と、反射鏡２２，２３，２４とを備えている。そして、スキャナ部１６では、レーザビームが図の鎖線で示す経路を通って、プロセスカートリッジ１７の感光ドラム２７の表面上に高速走査にて照射される。
【００２０】
プロセスカートリッジ１７は、スキャナ部１６の下方に配設され、装置本体２に対して着脱自在に装着される構造となっている。そして、このプロセスカートリッジ１７は、感光ドラム２７と、帯電器２９と、転写ローラ３０と、現像ローラ３１と、層厚規制ブレード３２と、供給ローラ３３と、トナーホッパ３４とを備えて構成されている。
【００２１】
このプロセスカートリッジ１７では、帯電器２９で帯電された感光ドラム２７の表面が、スキャナ部１６からのレーザビームで露光されることで、感光ドラム２７上に静電潜像が形成される。この静電潜像に、トナーホッパ３４内のトナーが供給ローラ３３や現像ローラ３１を介して供給されることで、感光ドラム２７上にトナー像（現像剤像）が形成される。その後、感光ドラム２７と転写ローラ３０との間で用紙３が搬送される際に、感光ドラム２７上のトナー像が用紙３に転写される。
【００２２】
定着装置１８は、加熱体の一例としての加熱ローラ４１およびハロゲンランプＨＬと、加圧ローラ４２と、加熱ローラ４１の温度を検出する温度検出器の一例としてのサーミスタＴＨとを備えている。
【００２３】
加熱ローラ４１は、用紙３を加熱する円筒状の部材であり、その内側に設けられたハロゲンランプＨＬによって加熱されるようになっている。ハロゲンランプＨＬは、装置本体２に設けられた電力供給部１０１から電力を供給されることで発熱するようになっている。
【００２４】
加圧ローラ４２は、加熱ローラ４１と対向するように配置されて加熱ローラ４１に向けて押圧されることで、加熱ローラ４１との間でニップ部を形成している。
【００２５】
サーミスタＴＨは、加熱ローラ４１の周囲の温度（以下、「雰囲気温度」ともいう。）を検出する非接触式のセンサであり、加熱ローラ４１に対して間隔をおいて配置されている。
【００２６】
この定着装置１８では、ハロゲンランプＨＬによって加熱ローラ４１が加熱されることで、用紙３が加熱ローラ４１と加圧ローラ４２との間を通過する間に用紙３に転写されたトナー像が熱定着される。その後、用紙３は、搬送ローラ４３によって、排紙パス４４に搬送される。なお、排紙パス４４に送られた用紙３は、排紙ローラ４５によって排紙トレイ４６上に排紙される。
【００２７】
＜制御装置＞
次に、制御装置１００について詳細に説明する。
制御装置１００は、例えば、ＣＰＵ、ＲＡＭ、ＲＯＭおよび入出力回路を備えており、前述したサーミスタＴＨからの入力と、印刷指令の内容と、ＲＯＭに記憶されたプログラムやデータなどに基づいて演算処理を行うことによって、電力供給部１０１や用紙供給機構７などの制御を実行している。
【００２８】
具体的に、制御装置１００は、複数の関数から一の関数を選択し、選択した関数によりサーミスタＴＨで検出した検出温度を補正し、補正後の温度に基いて電力供給部１０１を制御する機能を有している。詳しくは、制御装置１００は、補正後の温度と定着温度（用紙３を熱定着するために適した温度）の差が大きい程、電力供給部１０１から出力する通電量Ｅ（単位時間当たりの通電量）を大きくするように構成されている。
【００２９】
また、制御装置１００は、ウォームアップモード、レディモード、スリープモード、印刷モードといった複数のモードで電力供給部１０１を制御している。なお、本発明は印刷モード（印刷制御）時における制御であるため、その他のモードについては、公知の制御を適宜行えばよく、詳細な説明は省略する。ただし、ウォームアップモードについては本発明に関連するので、以下に簡単に説明する。
【００３０】
＜ウォームアップモード＞
制御装置１００は、スリープモードやレディモードに滞在している際に印刷指令を受けると、ウォームアップモードを開始する。ウォームアップモードでは、制御装置１００は、まず、電力供給部１０１からハロゲンランプＨＬへの電力の供給を開始し、サーミスタＴＨで検出した検出温度を所定の関数で補正する。なお、このウォームアップモードで使用する関数は、公知の関数を用いればよい。
【００３１】
制御装置１００は、補正後の温度が目標温度（前述した定着温度または当該定着温度よりも僅かに低い温度）に達したか否かを判断し、目標温度に達した場合には、ウォームアップモードを終了して、印刷モードを開始する。なお、制御装置１００は、公知のように、ウォームアップモードの開始時の検出温度が高い場合よりも低い場合の方が給紙トレイ６からの用紙３の給紙タイミングが遅くなるように、用紙供給機構７を制御している。
【００３２】
＜印刷モード＞
制御装置１００は、ウォームアップ終了直後の印刷モードにおいては、図２（ａ）〜（ｃ）に示す第１マップ、第２マップまたは第３マップを用いて関数を切り替えるように構成されている。なお、ウォームアップ終了直後でない印刷モード（例えば１回目の印刷指令の直後に２回目の印刷指令が出力された場合など）においては、必ずしも第１〜第３マップを用いて関数を切り替える必要はない。
【００３３】
第１マップは、ウォームアップ開始時の検出温度Ｔｓが５０℃以下となる低温時に使用するマップであり、印刷モードの開始時から終了までの期間を４つの期間に分け、各期間で使用する関数をそれぞれ設定している。詳しくは、印刷モードの開始時から８秒間の期間である第１期間においては、Ｔ＝１．２ｘ＋２５（Ｔ：補正後の温度、ｘ：検出温度）となる低温時第１期間用関数が使用され、第１期間の終了時点から１０秒間の期間である第２期間においては、Ｔ＝１．２ｘ＋１０となる低温時第２期間用関数が使用される。
【００３４】
また、第２期間の終了時点から２５秒間の期間である第３期間においては、Ｔ＝１．２ｘ＋５となる低温時第３期間用関数が使用され、第３期間の終了時点から印刷制御が終了する時点までの期間である第４期間においては、Ｔ＝１．２ｘ−５となる低温時第４期間用関数が使用される。
【００３５】
つまり、ウォームアップ開始時の検出温度Ｔｓが５０℃以下となる低温時においては、印刷制御が進むにつれて、補正後の値が小さくなるような関数に順次切り替えられるようになっている。
【００３６】
第２マップは、ウォームアップ開始時の検出温度Ｔｓが５０℃より高く、かつ、１００℃以下となる中温時に使用するマップであり、第１マップと同様に、印刷モードの開始時から終了までの期間を４つの期間に分け、各期間で使用する関数をそれぞれ設定している。詳しくは、印刷モードの開始時から８秒間の期間である第１期間においては、Ｔ＝１．２ｘ＋１５となる中温時第１期間用関数が使用され、第１期間の終了時点から１０秒間の期間である第２期間においては、Ｔ＝１．２ｘ＋５となる中温時第２期間用関数が使用される。
【００３７】
また、第２期間の終了時点から２５秒間の期間である第３期間においては、Ｔ＝１．２ｘ＋３となる中温時第３期間用関数が使用され、第３期間の終了時点から印刷制御が終了する時点までの期間である第４期間においては、Ｔ＝１．２ｘ−５となる中温時第４期間用関数が使用される。
【００３８】
つまり、ウォームアップ開始時の検出温度Ｔｓが５０℃より高く、かつ、１００℃以下となる中温時においても、印刷制御が進むにつれて、補正後の値が小さくなるような関数に順次切り替えられるようになっている。
【００３９】
第３マップは、ウォームアップ開始時の検出温度Ｔｓが１００℃より高くなる高温時に使用するマップであり、印刷モードの開始時から終了までの期間を２つの期間に分け、各期間で使用する関数をそれぞれ設定している。詳しくは、印刷モードの開始時から４秒間の期間である第１期間においては、Ｔ＝１．２ｘとなる高温時第１期間用関数が使用され、第１期間の終了時点から印刷制御が終了する時点までの期間である第２期間においては、Ｔ＝１．２ｘ−５となる高温時第２期間用関数が使用される。
【００４０】
つまり、ウォームアップ開始時の検出温度Ｔｓが１００℃より高くなる高温時においても、印刷制御が進むと、補正後の値が小さくなるような関数に切り替えられるようになっている。
【００４１】
言い換えると、高温時第１期間用関数「Ｔ＝１．２ｘ」と高温時第２期間用関数「Ｔ＝１．２ｘ−５」の関係は、第１関数と、当該第１関数よりも補正後の値が小さくなる第２関数との関係と同じ関係となっている。
【００４２】
このように高温時第１期間用関数と高温時第２期間用関数を設定することで、ウォームアップ終了直後の印刷制御の開始時において高温時第１期間用関数で補正された温度が、高温時第２期間用関数を用いて補正された場合よりも大きな値となるので、ウォームアップ終了直後の印刷制御の開始時において加熱ローラ４１の実温度と検出温度との差が大きくなっても、補正後の温度を実温度に近づけることができ、加熱ローラ４１の温度が高くなりすぎるのを抑えることが可能となっている。
【００４３】
なお、低温時第１期間用関数「Ｔ＝１．２ｘ＋２５」と低温時第４期間用関数「Ｔ＝１．２ｘ−５」の関係や、中温時第１期間用関数「Ｔ＝１．２ｘ＋１５」と中温時第４期間用関数「Ｔ＝１．２ｘ−５」の関係も、前述した第１関数と第２関数の関係と同じ関係になるので、低温時や中温時においても前述した効果と同じ効果を得ることが可能となっている。
【００４４】
また、高温時第１期間用関数「Ｔ＝１．２ｘ」と低温時第１期間用関数「Ｔ＝１．２ｘ＋２５」との関係は、第１関数と、当該第１関数よりも補正後の値が大きくなる第３関数との関係と同じ関係となっている。
【００４５】
ここで、ウォームアップ開始時の検出温度Ｔｓが低い場合には、高い場合に比べ、印刷制御の開始時における加熱ローラ４１の実温度と雰囲気温度との差が大きい。そのため、例えばウォームアップ開始時の検出温度に関係なく同一の第１関数（Ｔ＝１．２ｘ）を印刷制御の開始時の補正に使用する場合には、低温時において補正後の温度が実温度に近づかず、低温時の印刷制御の開始時に加熱ローラ４１の温度が高くなりすぎる可能性がある。これに対し、ウォームアップ開始時の検出温度Ｔｓが低い場合に、印刷制御の開始時における検出温度を第１関数（Ｔ＝１．２ｘ）を用いて補正された場合よりも大きな値となるように第３関数（Ｔ＝１．２ｘ＋２５）で補正することで、加熱ローラ４１の温度が高くなりすぎるのを抑えることが可能となっている。
【００４６】
なお、高温時第１期間用関数「Ｔ＝１．２ｘ」と中温時第１期間用関数「Ｔ＝１．２ｘ＋１５」との関係も、前述した第１関数と第３関数の関係と同じ関係になるので、中温時においても前述した効果と同じ効果を得ることが可能となっている。
【００４７】
また、低温時においては、低温時第１期間用関数「Ｔ＝１．２ｘ＋２５」から低温時第４期間用関数「Ｔ＝１．２ｘ−５」に切り替える前に、低温時第１期間用関数「Ｔ＝１．２ｘ＋２５」よりも補正後の値が小さくなり、かつ、低温時第４期間用関数「Ｔ＝１．２ｘ−５」よりも補正後の値が大きくなる低温時第２期間用関数「Ｔ＝１．２ｘ＋１０」および低温時第３期間用関数「Ｔ＝１．２ｘ＋５」を使用するように構成されている。つまり、低温時第２期間用関数「Ｔ＝１．２ｘ＋１０」および低温時第３期間用関数「Ｔ＝１．２ｘ＋５」は、第４関数に相当している。
【００４８】
ここで、ウォームアップ開始時の検出温度Ｔｓが低い場合には、加熱ローラ４１の温度と雰囲気温度との差が大きいことから、低温時第１期間用関数「Ｔ＝１．２ｘ＋２５」からいきなり低温時第４期間用関数「Ｔ＝１．２ｘ−５」に切り替えると、切替後に補正した温度が実温度に近づかず、加熱ローラ４１の温度が高くなりすぎる場合がある。これに対し、ウォームアップ開始時の検出温度Ｔｓが低い場合において、低温時第１期間用関数「Ｔ＝１．２ｘ＋２５」と低温時第４期間用関数「Ｔ＝１．２ｘ−５」の間に、低温時第２期間用関数「Ｔ＝１．２ｘ＋１０」および低温時第３期間用関数「Ｔ＝１．２ｘ＋５」を設定することにより、このような問題を抑えることが可能となっている。
【００４９】
なお、中温時第２期間用関数「Ｔ＝１．２ｘ＋５」および中温時第３期間用関数「Ｔ＝１．２ｘ＋３」も、中温時第１期間用関数「Ｔ＝１．２ｘ＋１５」を第３関数、中温時第４期間用関数「Ｔ＝１．２ｘ−５」を第２関数と見たときの第４関数に相当するので、中温時においても前述した効果と同じ効果を得ることが可能となっている。
【００５０】
また、各マップにおける第１期間は、補正後の温度が前述した目標温度に達してから用紙３の先端が加熱ローラ４１と加圧ローラ４２との間のニップ部に到達するまでの時間に設定されている。ここで、第１マップおよび第２マップの第１期間が８秒に設定されているのに対し、第３マップの第１期間が４秒に設定されているのは、前述したようにウォームアップ開始時の検出温度Ｔｓが高い場合よりも低い場合の方が給紙タイミングが遅くなるように設定されているからである。
【００５１】
言い換えると、低温時第１期間用関数（第３関数）から低温時第２期間用関数（第４関数）に切り替えるタイミングは、高温時第１期間用関数（第１関数）から高温時第２期間用関数（第２関数）に切り替えるタイミングよりも遅くなるように設定されている。これによれば、低温時、中温時および高温時のいずれの場合であっても、用紙３が加熱ローラ４１と加圧ローラ４２との間のニップ部に到達するタイミングに合わせて関数の切り替えを行うことが可能となっている。すなわち、加熱ローラ４１から用紙３に熱が奪われることで、加熱ローラ４１の実温度と雰囲気温度の差が小さくなるタイミングに合わせて関数を切り替えることが可能となるので、良好な定着制御を実現することが可能となっている。
【００５２】
なお、中温時第１期間用関数（第３関数）から中温時第２期間用関数（第４関数）に切り替えるタイミングも、高温時第１期間用関数（第１関数）から高温時第２期間用関数（第２関数）に切り替えるタイミングよりも遅くなるように設定されているので、中温時においても前述した効果と同じ効果を得ることが可能となっている。
【００５３】
なお、第１マップおよび第２マップにおける第２期間および第３期間の時間設定は、実験やシミュレーション等により得られる雰囲気温度の上昇傾向に応じて決定することができる。
【００５４】
最後に、制御装置１００によるウォームアップモード開始後の温度補正制御について説明する。
【００５５】
図３に示すように、制御装置１００は、まず、サーミスタＴＨで温度を検出する（Ｓ１）。ステップＳ１の後、制御装置１００は、ウォームアップの開始時の検出温度Ｔｓが５０℃以下であるか否かを判断する（Ｓ２）。
【００５６】
ステップＳ２において、制御装置１００は、ウォームアップの開始時の検出温度Ｔｓが５０℃以下であると判断した場合には（Ｙｅｓ）、第１マップを選択する（Ｓ３）。また、ステップＳ２において、制御装置１００は、ウォームアップ開始時の検出温度Ｔｓが５０℃より高いと判断した場合には（Ｎｏ）、検出温度Ｔｓが５０℃より高く、かつ、１００℃以下であるか否かを判断する（Ｓ４）。
【００５７】
ステップＳ４において、制御装置１００は、ウォームアップ開始時の検出温度Ｔｓが５０℃より高く、かつ、１００℃以下であると判断すると（Ｙｅｓ）、第２マップを選択する（Ｓ５）。ステップＳ４において、制御装置１００は、ウォームアップ開始時の検出温度Ｔｓが１００℃よりも高いと判断した場合には（Ｎｏ）、第３マップを選択する（Ｓ６）。
【００５８】
ステップＳ３、ステップＳ５またはステップＳ６の後、制御装置１００は、ウォームアップが終了したか否かを判断する（Ｓ７）。ステップＳ７において、制御装置１００は、ウォームアップが終了したと判断した場合には（Ｙｅｓ）、ステップＳ３、ステップＳ５またはステップＳ６において選択したマップに基いて関数を決定し、当該関数により温度補正を実行する（Ｓ８）。
【００５９】
なお、本発明は前記実施形態に限定されることなく、以下に例示するように様々な形態で利用できる。
前記実施形態では、３つのマップを用いて関数を設定するようにしたが、本発明はこれに限定されず、１つのマップまたは３つ以外の複数のマップを用いて関数を設定するように構成してもよい。また、各マップの検出温度Ｔｓや期間等の具体的な数値は、前記実施形態に限定されず、適宜変更可能である。また、前記実施形態では、ウォームアップ開始時の検出温度に応じて複数のマップを設定したが、本発明はこれに限定されず、例えば記録シートの種類に応じて複数のマップを設定してもよい。
【００６０】
前記実施形態では、記録シートの一例として、厚紙、はがき、薄紙などの用紙３を採用したが、本発明はこれに限定されず、例えばＯＨＰシートであってもよい。
【００６１】
前記実施形態では、加熱体として加熱ローラ４１およびハロゲンランプＨＬを例示したが、本発明はこれに限定されず、例えば発熱抵抗体やＩＨ熱源などであってもよい。ここで、ＩＨ熱源は、それ自体は発熱しないが、ローラや金属ベルトを電磁誘導加熱方式により発熱させるものをいう。
【００６２】
また、「温度」として、［℃］を単位とする温度を例にとったが、本発明は、「温度」として、サーミスタＴＨ内の温度検出用の抵抗素子の抵抗値、電圧値などの値を採用することができる。また、「温度」として、[℃]を単位とする温度を適当に換算したデータを採用することができる。
【００６３】
前記実施形態では、レーザプリンタ１に本発明を適用したが、本発明はこれに限定されず、その他の画像形成装置、例えば複写機や複合機などに本発明を適用してもよい。
【符号の説明】
【００６４】
１      レーザプリンタ
３      用紙
１８    定着装置
４１    加熱ローラ
１００  制御装置
１０１  電力供給部
ＨＬ    ハロゲンランプ
ＴＨ    サーミスタ
【図１】
2014106511.tif 000003
【図２】
2014106511.tif 000004
【図３】
2014106511.tif 000005